(57)【要約】  光記憶媒体（４）のベリファイエラー検出時に、交代処理を少なくするため、ベリファイエラー検出時に、欠陥の位置ＢＳ、長さＢＬを記憶し、この記憶情報を元に、リライトを行い、欠陥部のライトパワーを増加する。このため、ファームウェアでＡＰＣの制御をデジタルのフィードバックループで使用するための、構成が簡単で、且つ低価格のＬＤドライバを使用しても、ライトリトライ時に欠陥部のみ、発光パワーを上げることができ、欠陥部の再生波形を大きくし、交代セクターを少なくできる。【特許請求の範囲】
【請求項１】
光記憶媒体に光を照射して、データを記録する光学的記憶装置のライト処理方法において、
前記光記憶媒体に、所定のライトパワーの光で、データをライトするステップと、
前記光記憶媒体の前記ライトした領域をリードし、ベリファイするステップと、
前記ベリファイステップにおいて、前記光記憶媒体のベリファイエラーを検出した領域のデータの先頭からの位置と長さを記憶するステップと、
前記光記憶媒体のライトした領域をリライトする際に、前記記憶した前記先頭からの位置及び長さで示す領域のライトパワーを増加するリライトステップとを有する
ことを特徴とする光学的記憶装置のライト処理方法。
【請求項２】
前記ベリファイステップは、前記光記憶媒体のセクター単位に前記ライト処理のベリファイを行うステップであり、
前記記憶ステップは、前記ベリファイエラーを検出した領域の前記セクターのデータの先頭からの位置と長さを記憶するステップからなる
ことを特徴とする請求項１の光学的記憶装置のライト処理方法。
【請求項３】
前記リライトステップの後、前記リライトした領域をリードして、ベリファイするステップと、
前記ベリファイにおいて、前記ベリファイエラーを検出した際に、前記ライトパワーを更に増加して、リライトするステップを更に有する
ことを特徴とする請求項１の光学的記憶装置のライト処理方法。
【請求項４】
前記ライトステップは、前記光を照射する発光素子を駆動する駆動回路にコントローラから前記ライトパワーの電圧指示値と、ライトデータに従うタイミング信号を送り、前記光記憶媒体に、ライトデータに応じた発光量の照射を行うステップからなる
ことを特徴とする請求項１の光学的記憶装置のライト処理方法。
【請求項５】
前記リライトステップは、前記駆動回路に前記コントローラから前記増加分のライトパワーの電圧指示値と、前記記憶した前記先頭からの位置及び長さで示す領域のライトパワーを増加するようなタイミング信号を送るステップからなる
ことを特徴とする請求項４の光学的記憶装置のライト処理方法。
【請求項６】
前記発光素子からの前記照射光に対する前記光記憶媒体からの反射光を検出するディテクタからの出力に応じて、前記コントローラにより、前記ライトパワーをフィードバック制御するステップを更に有する
ことを特徴とする請求項４の光学的記憶装置のライト処理方法。
【請求項７】
前記ベリファイエラーが、バーストエラーであることを検出して、前記記憶ステップを実行する
ことを特徴とする請求項１の光学的記憶装置のライト処理方法。
【請求項８】
前記リライトステップを所定回数繰り返しても、前記ベリファイエラーが解消しない時に、前記セクターの交代処理を実行するステップを更に有する
ことを特徴とする請求項３の光学的記憶装置のライト処理方法。
【請求項９】
前記ライトステップは、回転する光ディスクを光学ヘッドにより光を照射して、前記光ディスクにデータをライトするステップからなる
ことを特徴とする請求項１の光学的記憶装置のライト処理方法。
【請求項１０】
光記憶媒体に光を照射して、データを記録する光学的記憶装置において、
前記光記憶媒体に、光を照射する光学ヘッドと、
前記光学ヘッドの発光素子を駆動する駆動回路と、
前記駆動回路を制御して、所定のライトパワーの光で、データをライトするための制御回路とを有し、
前記制御回路は、前記光記憶媒体の前記ライトした領域をリードし、ベリファイするとともに、前記光記憶媒体のベリファイエラーを検出した領域のデータの先頭からの位置と長さを記憶し、前記記憶した前記先頭からの位置及び長さで示す領域のライトパワーを増加するように、前記駆動回路を制御して、前記データをリライトする
ことを特徴とする光学的記憶装置。
【請求項１１】
前記制御回路は、前記光記憶媒体のセクター単位に前記ライト処理のベリファイを行い、且つ前記ベリファイエラーを検出した領域の前記セクターのデータの先頭からの位置と長さを記憶する
ことを特徴とする請求項１０の光学的記憶装置。
【請求項１２】
前記制御回路は、前記リライトした後、前記リライトした領域をリードして、ベリファイし、前記ベリファイにおいて、前記ベリファイエラーを検出した際に、前記ライトパワーを更に増加して、前記リライトする
ことを特徴とする請求項１０の光学的記憶装置。
【請求項１３】
前記制御回路は、前記ライトパワーの電圧指示値と、ライトデータに従うタイミング信号を、前記駆動回路に送り、前記駆動回路は、前記電圧指示値と前記タイミング信号に応じて、前記発光素子を駆動して、前記光記憶媒体に、ライトデータに応じた発光量の照射を行う
ことを特徴とする請求項１０の光学的記憶装置。
【請求項１４】
前記制御回路は、前記駆動回路に前記コントローラから前記増加分のライトパワーの電圧指示値と、前記記憶した前記先頭からの位置及び長さで示す領域のライトパワーを増加するようなタイミング信号を送り、前記再度のリライトを行う
ことを特徴とする請求項１３の光学的記憶装置。
【請求項１５】
前記光学ヘッドは、前記発光素子からの前記照射光に対する前記光記憶媒体からの反射光を検出するディテクタを有し、
前記制御回路は、前記ディテクタの出力に応じて、前記ライトパワーをフィードバック制御する
ことを特徴とする請求項１３の光学的記憶装置。
【請求項１６】
前記制御回路は、前記ベリファイエラーが、バーストエラーであることを検出して、前記位置及び長さの記憶を行う
ことを特徴とする請求項１０の光学的記憶装置。
【請求項１７】
前記制御回路は、前記リライトを所定回数繰り返しても、前記ベリファイエラーが解消しない時に、前記セクターの交代処理を実行する
ことを特徴とする請求項１４の光学的記憶装置。
【請求項１８】
前記光記憶媒体が、回転する光ディスクである
ことを特徴とする請求項１０の光学的記憶装置。
【発明の詳細な説明】
【技術分野】
【０００１】
本発明は、光記憶媒体に光を照射して、データをライトした後、ライトしたデータをリードして、ベリファイする光学的記憶装置のライト処理方法及び光学的記憶装置に関し、特に、ベリファイ時に、ベリファイエラーを検出した際に、リライトする光学的記憶装置のライト処理方法及び光学的記憶装置に関する。
【背景技術】
【０００２】
近年の文書や画像の電子化の要請により、電子化データを保存する記憶装置に、高性能、大容量、低価格の要求が増加している。この記憶装置の１つに、光記憶媒体を使用した光学的記憶装置が、普及している。例えば、光磁気ディスク（ＭＯ）、光ディスク（ＣＤ−ＲＷ，ＤＶＤ）等を使用した光学的記憶装置が提供されている。【０００３】
このような光学的記憶装置では、光学的ディスクに光を照射して、データをライトする。このライト後、光学的ディスクの当該ライトしたデータをリードし、このデータがリードできるかを確認する。例えば、リードしたデータとライトデータ自体を比較する。これをベリファイという。このベリファイ時に、ライトエラーを検出する（これをベリファイエラーという）と、即ち、照合結果が良好でないと、交代処理を行う。【０００４】
図９に示すように、光ディスク７０は、インナー領域７１と、アウター領域７２との間を、ユーザー領域７３として、使用する。このユーザー領域７３のあるトラックにライト中、セクターＤＳ１で、ベリファイエラーを検出すると、例えば、アウター領域７２に設けられた交代領域に、交代セクターＫＳ１を設定し、セクターＤＳ１にライトするデータを、交代セクターＫＳ１にライトする。これを交代処理といい、訂正不可能なバーストエラー等を検出した時に、交代処理を行う（例えば、特許文献１参照）。【０００５】
このベリファイエラーの原因の一つは、光記憶媒体の欠陥や、ほこり等により、リード時の再生信号の振幅が小さくなることにある。この交代処理が行われると、図９に示すように、連続してセクターをリード／ライトするには、欠陥セクターＤＳ１のリード／ライトを、トラック位置の異なる交代セクターＫＳ１で行う必要がある。このため、交代処理が多発した場合には、アクセスタイムが増加し、リード／ライト速度の低下の原因となる。更に、最悪の場合には、用意された交代領域を埋めつくしてしまい、交代処理ができなくなるため、媒体自体が使用できなくなる。【０００６】
一方、光ディスク装置の発光パワー制御（ＡＰＣ）方法として、ＡＰＣディテクターで反射光成分をモニターし、ハードウェアで、常時ＡＰＣを働かせ、発光部の発光パワーを制御する方法がある。【０００７】
この方法では、媒体の欠陥部での反射光量の変化を検出し、直ちに、欠陥部での発光パワーを増加するため、ライトパワーの増大により、ベリファイ時の欠陥部での再生波形の振幅低下は小さく、ベリファイエラーを発生しにくい。【０００８】
一方、コントローラ（ＣＰＵ）のファームウェアで、ＡＰＣを行う場合には、ある一定時間毎に、ＡＰＣディテクターの検出光量をモニターし、光パワー誤差を計算し、発光部の発光パワーを制御するため、少なくとも、１セクター内では、発光パワーは、一定光量である。
【特許文献１】特開平５−３４７０４２号公報（要約、段落番号０００８参照）
【発明の開示】
【発明が解決しようとする課題】
【０００９】
従来のハードウェアで、常時ＡＰＣを行う方法では、ベリファイエラーを発生しにくいが、このハードウェアとしてのＬＤ（レーザーダイオード）ドライバに、アナログのフィードバックループを必要とするため、ＬＤドライバの構成が複雑であり、ＬＤドライバ自体も高価である。【００１０】
一方、ファームウェアで、ＡＰＣを行う方法は、ディデータルのフィードバックループであるため、構成が簡単で、且つ低価格のＬＤドライバを使用できる。しかし、前述のように、１セクター内では、発光パワーが、一定のため、前述のように、欠陥部で再生波形が小さくなり、ベリファイエラーを起こし易い。
【課題を解決するための手段】
【００１１】
この目的の達成のため、本発明は、光記憶媒体に光を照射して、データを記録する光学的記憶装置のライト処理方法であって、前記光記憶媒体に、所定のライトパワーの光で、データをライトするステップと、前記光記憶媒体の前記ライトした領域をリードし、ベリファイするステップと、前記ベリファイステップにおいて、前記光記憶媒体のベリファイエラーを検出した領域のデータの先頭からの位置と長さを記憶するステップと、前記光記憶媒体のライトした領域をリライトする際に、前記記憶した前記先頭からの位置及び長さで示す領域のライトパワーを増加するリライトステップとを有する。【００１２】
又、本発明は、光記憶媒体に光を照射して、データを記録する光学的記憶装置であって、前記光記憶媒体に、光を照射する光学ヘッドと、前記光学ヘッドの発光素子を駆動する駆動回路と、前記駆動回路を制御して、所定のライトパワーの光で、データをライトするための制御回路とを有し、前記制御回路は、前記光記憶媒体の前記ライトした領域をリードし、ベリファイするとともに、前記光記憶媒体のベリファイエラーを検出した領域のデータの先頭からの位置と長さを記憶し、前記記憶した前記先頭からの位置及び長さで示す領域のライトパワーを増加するように、前記駆動回路を制御して、前記データをリライトする。【００１３】
更に、本発明では、好ましくは、前記ベリファイステップは、前記光記憶媒体のセクター単位に前記ライト処理のベリファイを行うステップであり、前記記憶ステップは、前記ベリファイエラーを検出した領域の前記セクターのデータの先頭からの位置と長さを記憶するステップからなる。【００１４】
更に、本発明では、好ましくは、前記リライトステップの後、前記リライトした領域をリードして、ベリファイするステップと、前記ベリファイにおいて、前記ベリファイエラーを検出した際に、前記ライトパワーを更に増加して、リライトするステップを更に有する。【００１５】
更に、本発明では、好ましくは、前記ライトステップは、前記光を照射する発光素子を駆動する駆動回路にコントローラから前記ライトパワーの電圧指示値と、ライトデータに従うタイミング信号を送り、前記光記憶媒体に、ライトデータに応データ発光量の照射を行うステップからなる。【００１６】
更に、本発明では、好ましくは、前記リライトステップは、前記駆動回路に前記コントローラから前記増加分のライトパワーの電圧指示値と、前記記憶した前記先頭からの位置及び長さで示す領域のライトパワーを増加するようなタイミング信号を送るステップからなる。【００１７】
更に、本発明では、好ましくは、前記発光素子からの前記照射光に対する前記光記憶媒体からの反射光を検出するディテクタからの出力に応じて、前記コントローラにより、前記ライトパワーをフィードバック制御するステップを更に有する。【００１８】
更に、本発明では、好ましくは、前記ベリファイエラーが、バーストエラーであることを検出して、前記記憶ステップを実行する。【００１９】
更に、本発明では、好ましくは、前記リライトステップを所定回数繰り返しても、前記ベリファイエラーが解消しない時に、前記セクターの交代処理を実行するステップを更に有する。【００２０】
更に、本発明では、好ましくは、前記ライトステップは、回転する光ディスクを光学ヘッドにより光を照射して、前記光ディスクにデータをライトするステップからなる。
【発明の効果】
【００２１】
ベリファイエラー検出時に、欠陥の位置、長さを記憶し、この記憶情報を元に、リライトを行い、欠陥部のライトパワーを増加するので、ファームウェアディＡＰＣの制御をディデータルのフィードバックループで使用する、構成が簡単で、且つ低価格のＬＤドライバを使用しても、ライトリトライ時に欠陥部のみ、発光パワーを上げることができ、欠陥部の再生波形を大きくし、交代セクターを少なくできる。
【図面の簡単な説明】
【００２２】
【図１】本発明の一実施の形態の光学的記憶装置の構成図である。
【図２】図１の光学的記憶装置の光学系の構成図である。
【図３】本発明のライト処理におけるライトリトライ動作の説明図である。
【図４】本発明によるライトリトライ後の再生波形の説明図である。
【図５】図１のＬＤドライバ３１とコントローラ１７の信号関係を説明する図である。
【図６】図１及び図５のコントローラ１７のライト処理フロー図である。
【図７】図６のベリファイエラー時のリライト動作のタイムチャート図である。
【図８】図７のライト電流の説明図である。
【図９】従来のセクター交代処理の説明図である。
【発明を実施するための最良の形態】
【００２３】
以下、本発明の実施の形態を、光学的記憶装置、ライト処理、他の実施の形態の順で説明するが、本発明は、かかる実施の形態に限られず、種々の変形が可能である。【００２４】
[光学的記憶装置]
図１は、本発明の一実施の形態の光学的記憶装置の構成図、図２は、図１の光学的記憶装置の光学系の構成図である。尚、図１は、光磁気ディスク装置を、光学的記憶装置の例として、示してある。【００２５】
図１に示すように、光学的記憶装置としての光磁気ディスク装置は、光学的記憶媒体である光磁気記録媒体を回転して、光及び磁気により、データを書き込み、光によりデータを読み出す。モーター１８は、光磁気記録媒体（ＭＯディスク）４を回転する。通常、ＭＯディスク４は、リムーバブルな媒体ディあり、図示しないドライブの挿入口から挿入される。【００２６】
光ピックアップ５は、磁界発生ユニット（ここでは、磁気ヘッドという）３５と、このＭＯディスク４を挟むように配置される。光ピックアップ５は、ボールネジ送り機構等のアクチュエータ（図示せず）により移動し、ＭＯディスク４の半径方向の任意の位置へアクセスが可能である。又、光ピックアップ５のレーザーダイオードＬＤを駆動するＬＤドライバ３１と、磁気ヘッド３５を駆動する磁気ヘッドドライバ３４とが設けられる。【００２７】
アクセス用サーボコントローラ１５は、光ピックアップ５からの出力により、アクチュエータ（図示せず）と、モーター１８と、光ピックアップ５のフォーカス／トラックアクチュエータ１９をサーボ制御する。【００２８】
メインコントローラ１７は、ＬＤドライバ３１、磁気ヘッドドライバ３４、アクセス用サーボコントローラ１５を稼動させて、情報の記録再生を行う。【００２９】
光ピックアップ５の詳細を、図１及び図２ディ説明する。レーザーダイオードＬＤからの拡散光は、コリメータレンズ１０により平行光となり、ビームスプリッター１１を介して、ミラー４０で反射後、対物レンズ１６によりＭＯディスク４上にほぼ回折限界まで集光される。【００３０】
このビームスプリッター１１に入射する光の一部は、ビームスプリッター１１により反射され、集光レンズ１２を介してＡＰＣ（Auto  Power  Control)ディテクタ１３に集光される。【００３１】
又、ＭＯディスク４より反射された光は、再び対物レンズ１６を介し、ミラー４０で反射後、ビームスプリッター１１に再度入射する。ビームスプリッター１１に再度入射した光の一部は、レーザーダイオードＬＤ側へ戻り、残りの光は、ビームスプリッター１１により反射され、３ビームウオラストンプリズム２６、フーコー法検出のためのプリズム２１を介して、反射光ディテクタ２５上に集光される。【００３２】
反射光ディテクタ２５は、図１に示すように、サーボ検出用の４分割ディテクタ２２と、その上下に配置された信号検出用のＭＯ信号ディテクタ２０とで構成される。【００３３】
図１に示すように、ＦＥＳ（Focus  Error  Signal）再生回路２３は、光電変換された４分割フォトディテクタ２２の出力Ａ，Ｂ，Ｃ，Ｄにより、非点収差法によるフォーカスエラー検出（ＦＥＳ）を行う。即ち、
ＦＥＳ＝（Ａ＋Ｂ）−（Ｃ＋Ｄ）／（Ａ＋Ｂ＋Ｃ＋Ｄ）
同時に，プッシュプル法によるＴＥＳ生成回路２４で，フォトディテクタ２２の出力から、以下の演算式で、トラックエラー検出（ＴＥＳ）を行う。【００３４】
ＴＥＳ＝（Ａ＋Ｃ）−（Ｂ＋Ｄ）／（Ａ＋Ｂ＋Ｃ＋Ｄ）
これらの計算により求められたフォーカスエラー信号（ＦＥＳ）及びトラックエラー信号（ＴＥＳ）は、フォーカス方向及びトラック方向の位置誤差信号として、アクセス用サーボコントローラ１５に入力される。【００３５】
一方、ＭＯディスク４上の光磁気記録の磁化の向きによって、反射レーザ光の偏光特性が変化し、再生では、光強度に変換される。すなわち、３ビームウォラストン２６において、偏光検波により偏光方向が互いに直交する二つのビームに分離し、円筒面レンズ２１を通して２分割フォトディテクタ２０に入射し、それぞれ光電変換される。【００３６】
２分割フォトディテクタ２０で光電変換された２つの電気信号Ｇ，Ｈは、減算アンプ（リード回路）２９で減算され、読みだし（ＭＯ）信号（ＲＡＭ＝Ｇ−Ｈ）を生成し、メインコントローラ１７に入力される。【００３７】
又、メインコントローラ１７には、ＡＰＣ用フォトディテクタ１３に入射した半導体レーザダイオードＬＤの反射光が光電変換されたモニター出力が、アンプ１４を通して、入力される。【００３８】
さらに、メインコントローラ１７は、記録／再生モードに応じて、ＬＤドライバ３１にコマンド信号を生成する。即ち、メインコントローラ１７は、ＬＤドライバ３１に、このモニター出力に応データパワー誤差を送信し，半導体レーザダイオードＬＤの発光パワーを負帰還制御する。【００３９】
光磁気記録時は、光変調記録方式を用いる場合に、ライトデータを、ＬＤドライバ３１に送り、レーザダイオードＬＤを光変調駆動する。この際、メインコントローラ１７が、記録時を指示する信号をＬＤドライバ３１に送り、ＬＤドライバ３１は、記録に最適なレーザーパワーになるように半導体レーザダイオードＬＤの発光を負帰還制御する。【００４０】
尚、フォーカシングエラー信号は、非点収差法、トラッキングエラー信号はプッシュプル法により検出し、ＭＯ信号は偏光成分の差動検出信号から検出している例で説明したが、前記した光学系は本発明の実施例で使用するものであり、フォーカシングエラー検出方法としては、ナイフエッジ法、スポットサイズ位置検出法などでも、何ら問題無い。また、トラッキングエラー検出法は、３ビーム法、位相差法などを用いても何ら問題無い。【００４１】
更に、サーボコントローラ１５は、検出したフォーカスエラー信号ＦＥＳに応じて、フォーカス／トラックアクチュエータ１９のフォーカスコイルを駆動し、光ビームを合焦点制御する。又、サーボコントローラ１５は、検出したトラックエラー信号ＴＥＳに応じて、フォーカス／トラックアクチュエータ１９のトラックコイルを駆動し、光ビームをトラック追従制御する。【００４２】
［ライト処理］
図３は、本発明のライト処理におけるライトリトライ動作の説明図、図４は、本発明によるライトリトライ後の再生波形の説明図である。【００４３】
図３は、ＭＯディスク４の１セクターのフォーマットを示す。１セクターは、周波数、同期部ＳＹＮＣ、セクター先頭マークＳＥＭ，データ領域ＤＡＴＡ，ＥＣＣ（Error Correction Code）部ＥＣＣからなる。【００４４】
このセクターをライトした後、このセクターを読み、ベリファイ動作する。このベリファイ時、コントローラ１７が、ライトしたデータとベリファイリードしたデータが異なる欠陥部において、セクター先頭マークの先頭からの欠陥部の先頭位置ＢＳと，欠陥部の長さＢＬを記憶しておく。【００４５】
次に、ベリファイエラーの場合、再度同一セクターをリライトする時に、Ｂ（ＢＳ，ＢＬ）の時間，即ち、セクター先頭マークから位置ＢＳからＢＬ区間についてのみ、故意に、ライトパワーを大きく設定する。即ち、欠陥部のみ、ライト時の平均パワーＷＲに、ライトバイアスパワーＥを加える。【００４６】
一般に、ライトパワーに比例して、リード波形の振幅は、大きくなるから、図４に示すように、欠陥部の再生波形の振幅は、本発明の適用前に比し、本発明を適用した場合には、大きくなり、ベリファイエラーが発生しにくい。【００４７】
図５は、図１のＬＤドライバ３１とコントローラ１７の信号関係を説明する図、図６は、コントローラ１７のライト処理フロー、図７は、ベリファイエラー時のリライト動作のタイムチャート図、図８は、それによるライト電流の説明図である。【００４８】
図５に示すように、ＬＤドライバ３１は、パワー加(減)算回路と、電圧／電流変換回路とで構成される。ここでは、ライト処理時のコントローラ１７のパワー制御を示してある。一般的に、媒体４に、ライトする時、コントローラ１７は、パワー制御として、図７で説明するように、３個のライトディデータル値ＷＤＡＣＡ〜ＷＤＡＣＣで電圧値（パワー）を設定し、次にそのパワーを設定したい時間で、ライトタイミングＡ〜Ｃで、ＬＤドライバ回路３１のライトタイミング回路をＯＮする。【００４９】
ＬＤドライバ３１は、設定されたタイミングのみ，ＷＤＡＡ〜ＷＤＡＣ指示された電圧を、Ｖ／Ｉ（電圧／電流）変換し、これらの電流を足し算し、レーザダイオードＬＤに流す。【００５０】
ここで、欠陥部についての対策の為に、別途、コントローラ１７からＬＤドライバ３１への電圧値の設定に、デジタル値ＷＤＡＣＤ、ライトタイミングＤを設ける。【００５１】
次に、図７及び図８を参照して、図６により、コントローラ１７のライト処理を説明する。【００５２】
（Ｓ１０）コントローラ１７は、ライトコマンドを発行し、ライト動作を行う。ライト動作は、コントローラ１７が、図７のように、３個のライトデジタル値ＷＤＡＣＡ〜ＷＤＡＣＣで電圧値（パワー）を設定し、次にそのパワーを設定したい時間で、ライトタイミングＡ〜Ｃで、ＬＤドライバ回路３１のライトタイミング回路をＯＮする。ライトデジタル値ＷＤＡＣＡは、基準電圧（例えば、リード電圧）に対するライトバイアス電圧Ｖａであり、ライトデジタル値ＷＤＡＣＢ、ＷＤＣＡＣは、ライトデータ（「１」）の電圧Ｖｂ、Ｖｃである。【００５３】
（Ｓ１２）コントローラ１７は、ライト動作時にトラックに対する位置誤差のずれ、ゆれ等により、所望トラックのセクターに正常にライトできたか（ライトエラーがあるか）を判定する。ライトエラーがあると、エラー処理に移行する。【００５４】
（Ｓ１４）次に、コントローラ１７は、ベリファイコマンドを発行し、ベリファイ動作する。即ち、当該ライトしたセクターのデータをリードし、ライトデータと比較する。【００５５】
（Ｓ１６）コントローラ１７は、この比較により、ベリファイエラーがあるかを判定する。ベリファイエラーと判定しないと、ベリファイを正常終了する。【００５６】
（Ｓ１８）次に、コントローラ１７は、ベリファイエラーと判定すると、ベリファイエラーがあったセクターが、バーストエラーであるかを判定する。バーストエラー、即ち、連続した複数バイトのベリファイエラーでない場合には、単なるリードミスの可能性があるため、通常のベリファイ処理に移行する。例えば、ベリファイ動作のリトライを行う。【００５７】
（Ｓ２０）一方、コントローラ１７は、ベリファイエラーと判定すると、ベリファイエラーがあったセクターが、バーストエラーであると判定すると、ベリファイエラーのリトライ回数カウンタＭを「０」に、パワー加算値Ｐ１を初期値に設定する。そして、コントローラ１７は、バーストエラーと判定したセクターについて、図３で説明したように、データ先頭部からのバイト数で示す欠陥先頭位置ＢＳと、欠陥部の長さＢＬを記憶する。【００５８】
（Ｓ２２）次に、コントローラ１７は、ライトリトライを行う。この時、前述のステップＳ１０と同様の電圧、タイミング指定を行う他に、データ先頭部からのバイト数で示す欠陥先頭位置ＢＳと、その欠陥部の長さＢＬの部分のみ、パワーをＰＸ分上げる。図７では、バーストエラーのライトリトライでは、ＷＤＡＣＤに、ＰＸに対応する電圧Ｖｄを指示し、且つ前述のＢＳに対応する時間ｔ１で、タイミング信号Ｄを「１」とし、且つこの「１」の期間を、長さＢＳに対応する時間ｌ１継続し、「０」に戻す。これにより、図８に示すように、ライトパワー（ライト電流）は、前述の時刻ｔ１からｌ１時間、電圧Ｖｄ分が上乗せされる。【００５９】
（Ｓ２４）ステップＳ１４，Ｓ１６と同様に、次に、コントローラ１７は、ベリファイコマンドを発行し、ベリファイ動作する。即ち、当該ライトしたセクターのデータをリードし、ライトデータと比較する。コントローラ１７は、この比較により、ベリファイエラーがあるかを判定する。ベリファイエラーと判定しないと、ベリファイを正常終了する。【００６０】
（Ｓ２６）次に、コントローラ１７は、カウンタＭを「１」インクリメントし、カウンタＭが、リトライ制限回数値Ｎ（例えば、３）以下かを判定する。カウンタＭが、リトライ制限回数値Ｎ（例えば、３）以下かである場合には、ステップＳ２２に戻り、ライトリトライを行う。この場合に、前述の上乗せパワーＰＸを、ＰＸ＋Ｐ１に上げ、上乗せ電圧Ｖｄを、Ｖｄ＋Δｖに更新し、ライトリトライを行う。一方、カウンタＭが、リトライ制限回数値Ｎ（例えば、３）以下でない場合には、リトライオーバーのため、交代処理する。【００６１】
このように、ベリファイエラーと判定された場合に、ライトリトライを行い、このライトリトライにおいて、予め決めておいた任意の電圧を設定し、ベリファイエラーしたセクターのデータ部の先頭からの位置と長さＢ（ＢＳ，ＢＬ）の箇所のみ、ライトタイミングをオンする。このため、ライトリトライ時に、欠陥部のライトパワーが大きくなるため、欠陥部の再生波形が大きくなり、交代セクターを減少することができる。【００６２】
又、欠陥部の位置を計算する方法として、コントローラ１７は、ライト後のベリファイ時に、ライトしたデータに対し誤ったデータの箇所が判るので、エラーした箇所について先頭からの位置と長さをバイト数によって容易に把握出来る。【００６３】
更に、ライトリトライにおいても、リトライを行い、且つリトライ回数により、ライトパワーを順次増加するため、欠陥部の欠陥内容が軽微なら、最低の上乗せで済み、且つ軽微でない場合には、最大の上乗せとすることができ、媒体へのダメージを最小限にできる。【００６４】
このように、ファームウェアで、ＡＰＣの制御をデジタルのフィードバックループで使用する、構成が簡単で、且つ低価格のＬＤドライバを使用しても、ライトリトライ時に欠陥部のみ、発光パワーを上げることができ、欠陥部の再生波形を大きくし、交代処理の回数及び媒体上に確保すべき交代セクターの数を少なくできる。【００６５】
更に、欠陥セクター全体のライトパワーを増加するのではなく、セクターの欠陥部分のライトパワーを増加するため、隣接トラックへの余熱の影響を最小限とし、隣接セクターのデータ破壊に有効である。【００６６】
［他の実施の形態］
前述の実施の形態では、コントローラとＬＤドライバの制御信号線を、図５の構成で説明したが、他の形態を適用でき、制御信号線を加えた例で説明したが、制御信号線を加えない形態のものも適用できる。【００６７】
又、光記憶装置として、ディスクを用いたもので説明したが、形状は、ディスクに限らず、カード形状等を採用できる。更に、光磁気ディスク装置を例に、光記憶装置を説明したが、他の光ディスクドライブに適用できる。【００６８】
その上、ディスクのあるトラックのあるセクターをライトする際に、隣接する左右の１又は複数トラックの同一位置のセクターで、前記欠陥を検出している場合には、このライトするセクターに対し、同様に、欠陥がある可能性が強いため、そのセクターの前記位置、長さの領域におけるライトパワーを増加する処理を、ベリファイエラー検出前のライトプロセスで実行することもできる。【００６９】
以上、本発明を実施の形態により説明したが、本発明の趣旨の範囲内において、本発明は、種々の変形が可能であり、本発明の範囲からこれらを排除するものではない。
【産業上の利用可能性】
【００７０】
ファームウェアで、ＡＰＣの制御をデジタルのフィードバックループで使用する、構成が簡単で、且つ低価格のＬＤドライバを使用しても、ライトリトライ時に欠陥部のみ、発光パワーを上げることができ、欠陥部の再生波形を大きくし、交代処理の回数及び媒体に確保すべき交代セクターの数を少なくできる。このため、低価格の装置でも、交代処理を少なくし、交代領域へのヘッドの移動を最小限にでき、装置のアクセス性能の低下と媒体の長期使用に寄与する。
【図１】
2006087768.tif 000002
【図２】
2006087768.tif 000003
【図３】
2006087768.tif 000004
【図４】
2006087768.tif 000005
【図５】
2006087768.tif 000006
【図６】
2006087768.tif 000007
【図７】
2006087768.tif 000008
【図８】
2006087768.tif 000009
【図９】
2006087768.tif 000010
【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
光記憶媒体に光を照射して、データを記録する光学的記憶装置のライト処理方法において、
前記光記憶媒体に、所定のライトパワーの光で、データをライトするステップと、
前記光記憶媒体の前記ライトした領域をリードし、ベリファイするステップと、
前記ベリファイステップにおいて、前記光記憶媒体のベリファイエラーを検出した領域のデータの先頭からの位置と長さを記憶するステップと、
前記光記憶媒体のライトした領域をリライトする際に、前記記憶した前記先頭からの位置及び長さで示す領域のライトパワーを増加するリライトステップとを有する
ことを特徴とする光学的記憶装置のライト処理方法。
【請求項２】
前記ベリファイステップは、前記光記憶媒体のセクター単位に前記ライト処理のベリファイを行うステップであり、
前記記憶ステップは、前記ベリファイエラーを検出した領域の前記セクターのデータの先頭からの位置と長さを記憶するステップからなる
ことを特徴とする請求項１の光学的記憶装置のライト処理方法。
【請求項３】
前記リライトステップの後、前記リライトした領域をリードして、ベリファイするステップと、
前記ベリファイにおいて、前記ベリファイエラーを検出した際に、前記ライトパワーを更に増加して、リライトするステップを更に有する
ことを特徴とする請求項１の光学的記憶装置のライト処理方法。
【請求項４】
前記ライトステップは、前記光を照射する発光素子を駆動する駆動回路にコントローラから前記ライトパワーの電圧指示値と、ライトデータに従うタイミング信号を送り、前記光記憶媒体に、ライトデータに応じた発光量の照射を行うステップからなる
ことを特徴とする請求項１の光学的記憶装置のライト処理方法。
【請求項５】
光記憶媒体に光を照射して、データを記録する光学的記憶装置において、
前記光記憶媒体に、光を照射する光学ヘッドと、
前記光学ヘッドの発光素子を駆動する駆動回路と、
前記駆動回路を制御して、所定のライトパワーの光で、データをライトするための制御回路とを有し、
前記制御回路は、前記光記憶媒体の前記ライトした領域をリードし、ベリファイするとともに、前記光記憶媒体のベリファイエラーを検出した領域のデータの先頭からの位置と長さを記憶し、前記記憶した前記先頭からの位置及び長さで示す領域のライトパワーを増加するように、前記駆動回路を制御して、前記データをリライトする
ことを特徴とする光学的記憶装置。
【請求項６】
前記制御回路は、前記光記憶媒体のセクター単位に前記ライト処理のベリファイを行い、且つ前記ベリファイエラーを検出した領域の前記セクターのデータの先頭からの位置と長さを記憶する
ことを特徴とする請求項５の光学的記憶装置。
【請求項７】
前記制御回路は、前記リライトした後、前記リライトした領域をリードして、ベリファイし、前記ベリファイにおいて、前記ベリファイエラーを検出した際に、前記ライトパワーを更に増加して、前記リライトする
ことを特徴とする請求項５の光学的記憶装置。
【請求項８】
前記制御回路は、前記ライトパワーの電圧指示値と、ライトデータに従うタイミング信号を、前記駆動回路に送り、前記駆動回路は、前記電圧指示値と前記タイミング信号に応じて、前記発光素子を駆動して、前記光記憶媒体に、ライトデータに応じた発光量の照射を行う
ことを特徴とする請求項５の光学的記憶装置。
【国際調査報告】
2006087768.tif 000011
2006087768.tif 000012
2006087768.tif 000013
2006087768.tif 000014